(57)【要約】【課題】作業効率を向上することのできる工業所有権の出願処理システムを提供すること。【解決手段】コンピュータを用いた工業所有権の出願処理システムであって，処理段階にある案件を表示する処理案件データ４を表示する処理案件表示エリア３と，処理案件表示エリア３において表示される処理案件データ４の処理内容を表示する処理内容表示エリア５と，を備えたことを特徴とする。【選択図】　　　図１
2004133813.tif 000002
【特許請求の範囲】
【請求項１】
コンピュータを用いた工業所有権の出願処理システムであって，
処理段階にある案件を表示する処理案件データを表示する処理案件表示エリアと，
前記処理案件表示エリアにおいて表示される処理案件データの処理内容を表示する処理内容表示エリアと，
を備えたことを特徴とする工業所有権の出願処理システム。
【請求項２】
請求項１に記載のコンピュータを用いた工業所有権の出願処理システムにおいて，
前記処理案件表示エリアは、当該担当者が処理する案件を表示するものである工業所有権の出願処理システム。
【請求項３】
請求項１又は２に記載のコンピュータを用いた工業所有権の出願処理システムにおいて，
前記処理案件表示エリアに表示される処理案件データは、当該担当者が処理すべき未処理案件を表示するものである工業所有権の出願処理システム。
【請求項４】
請求項１、２又は３に記載のコンピュータを用いた工業所有権の出願処理システムにおいて，
前記処理内容表示エリアは、前記処理案件表示エリアに表示される処理案件データを選択したときに、当該選択した処理案件データの処理内容を表示するものである工業所有権の出願処理システム。
【請求項５】
請求項１、２、３又は４に記載のコンピュータを用いた工業所有権の出願処理システムにおいて，
前記処理内容表示エリアに表示される処理内容は、当該担当者が１回で処理すべき処理項目を表示するものである工業所有権の出願処理システム。
【請求項６】
請求項１、２、３、４又は５に記載の工業所有権の出願処理システムにおいて，
前記処理案件表示エリアは、少なくとも期限日、案件番号、発明名称、処理内容（作業名称）、法的期限、種別を記入する項目を備えたものである工業所有権の出願処理システム。
【請求項７】
請求項１、２、３、４、５又は６に記載の工業所有権の出願処理システムにおいて，
前記処理内容表示エリアは、少なくとも処分内容、次作業、次担当者、期限日、コメント、書式、添付文書を記入する項目を備えたものである工業所有権の出願処理システム。
【請求項８】
コンピュータを用いた工業所有権の出願処理方法であって，処理段階にある案件を表示する処理案件データを端末機器のディスプレイに表示する第１のステップと，
前記第１のステップにおいて表示される処理案件データの１を選択することによって処理案件データの処理内容を端末機器のディスプレイに表示する第２のステップと，
前記第２のステップにおいて表示される処理内容を終了するか、または処理内容を終了し次担当者に送信することによって、管理サーバのデータベースに書き込む第３のステップと，
前記第３のステップの処理を行うと前記第１のステップおいて表示される処理案件データと、前記第２のステップおいて表示される処理内容を端末機器のディスプレイから消去する第４のステップと，
とを備えたことを特徴とする工業所有権の出願処理方法。
【請求項９】
コンピュータを用いた工業所有権の出願処理システムであって，
機能表示する案件を表示する機能表示案件データを表示する案件表示エリアと，
前記案件表示エリアに表示される検索案件の検索する業務処理段階を特定する業務工程を表示する業務工程表示エリアと，
前記案件表示エリアに表示される機能表示案件データに対して機能選択を行うときの機能項目を表示する機能項目表示エリアと，
を備えたことを特徴とする工業所有権の出願処理システム。
【請求項１０】
請求項９に記載のコンピュータを用いた工業所有権の出願処理システムにおいて，
前記案件表示エリアに表示される機能表示案件データについて、前記業務工程表示エリアに表示される業務処理段階を特定し、前記機能項目表示エリアに表示される機能内容を選択した際に、該選択した機能内容を表示する機能内容表示エリアを設けたことを特徴とする工業所有権の出願処理システム。
【請求項１１】
請求項９又は１０に記載のコンピュータを用いた工業所有権の出願処理システムにおいて，
前記案件表示エリアは、少なくとも出願人の形態、出願を特定する番号の種別、四法の区別、出願国、出願を特定する番号を備えたものである工業所有権の出願処理システム。
【請求項１２】
請求項９、１０又は１１に記載のコンピュータを用いた工業所有権の出願処理システムにおいて，
前記業務工程表示エリアは、少なくとも受付処理、出願処理を備えたものである工業所有権の出願処理システム。
【請求項１３】
請求項９、１０、１１又は１２に記載のコンピュータを用いた工業所有権の出願処理システムにおいて，
前記機能項目表示エリアは、少なくとも検索、書式操作、印刷、ガイダンス表示を備えたものである工業所有権の出願処理システム。
【請求項１４】
請求項９、１０、１１、１２又は１３に記載のコンピュータを用いた工業所有権の出願処理システムにおいて，
前記機能内容表示エリアは、前記案件表示エリアと前記業務工程表示エリアと前記機能項目表示エリアの上に重ねて表示するものである工業所有権の出願処理システム。
【請求項１５】
請求項１４に記載のコンピュータを用いた工業所有権の出願処理システムにおいて，
前記機能内容表示エリアの表示は、ディスプレイの全面に行うものである工業所有権の出願処理システム。
【発明の詳細な説明】
【０００１】
【発明の属する技術分野】
本発明は、工業所有権の出願処理システム、および工業所有権の出願処理表示方法に関する。
【０００２】
【従来の技術】
従来の工業所有権の出願処理システムにおいては、ペーパーによる業務処理票を用い、各担当部署に書類を転送して処理を行う方法が採られていた（例えば、特許文献１参照。）。また、近年、業務処理票を電子データ化して電子メール等の通信手段を用いて各担当部署間を移動する方法が試みられている。
【０００３】
また、工業所有権の出願処理方法は、電子データ化されたものの、従来のペーパーの業務処理票をそのまま電子データ化したものとなっている。
【０００４】
【特許文献１】
特開平１１−１３４３９９号公報（第１頁、第１図）
【０００５】
【発明が解決しようとする課題】
工業所有権の出願処理システムにおいては、特許業務担当者、特許技術担当者、特許技術担当者上長、明細書の外作の時の事務所（明細書作成担当者）等、業務処理票が複雑に移動する。このように書類の移動が多くなっているため、工業所有権の出願処理システムにおける業務処理票の管理は、それだけ複雑になっている。このため、工業所有権の出願処理システムにおいては、業務処理票を電子データ化して書類の移動を電子送信することによって書類の移動時間を短縮し、作業効率を向上したいという要望は高い。
【０００６】
しかしながら、従来の工業所有権の出願処理システムは、旧来から行われていたペーパーによる業務処理票を電子データ化し、単に送信を電子化したに過ぎず、業務処理票の電子データ化しても電子データ化したメリットが出ておらず、送信時間を短縮しただけで工業所有権の出願処理システムの効率化は全く図られていないものとなっている。
【０００７】
また、工業所有権の出願処理方法も、業務処理票の電子データ化はされたものの、従来のペーパーの業務処理票をそのまま電子データ化しただけで電子データ化の利点が何も生かされたものとなっていない。
【０００８】
本発明の１つの目的は、作業効率を向上することのできる工業所有権の出願処理システムを提供することにある。
【０００９】
本発明の他の１つの目的は、電子データ化の利点を生かすことのできる工業所有権の出願処理方法を提供することにある。
【００１０】
【課題を解決するための手段】
本発明の特徴の１つは、コンピュータを用いた工業所有権の出願処理システムであって，処理段階にある案件を表示する処理案件データを表示する処理案件表示エリアと，処理案件表示エリアにおいて表示される処理案件データの処理内容を表示する処理内容表示エリアとを備えたところにある。
【００１１】
本発明のさらに他の特徴の１つは、コンピュータを用いた工業所有権の出願処理方法であって，処理段階にある案件を表示する処理案件データを端末機器のディスプレイに表示する第１のステップと，第１のステップにおいて表示される処理案件データの１を選択することによって処理案件データの処理内容を端末機器のディスプレイに表示する第２のステップと，第２のステップにおいて表示される処理内容を終了するか、または処理内容を終了し次担当者に送信することによって、管理サーバのデータベースに書き込む第３のステップと，第３のステップの処理を行うと第１のステップおいて表示される処理案件データと、第２のステップおいて表示される処理内容を端末機器のディスプレイから消去する第４のステップとを備えたところにある。
【００１２】
本発明の他の特徴は、後述する実施の形態の中で記述する。
【００１３】
【発明の実施の形態】
本発明に係る工業所有権の出願処理システム、および工業所有権の出願処理方法は、工業所有権の出願処理業務おいて、また、出願処理業務における機能検索に高い効果を発揮する。
以下、本発明の実施の形態について、図を用いて説明する。ここでは、発明者が発明をした後、受付から出願までの工業所有権（特許、実用新案、意匠、商標を指すが、ここでは特許を例に取っている）の出願処理について説明する。
【００１４】
図１には、本発明に係る工業所有権の出願処理システム、および工業所有権の出願処理方法を実施するための処理装置が示されている。
図において、処理装置は、各種の処理・データ更新を実行するサーバからなる管理サーバ１００と、入出力装置とディスプレイと記憶装置からなる端末コンピュータからなるクライアントコンピュータ１１０，１２０，１３０とからなる。管理サーバ１００は、ファイルの保管や入出力、アクセスなどの管理サービス、プリント出力などのサービスを提供する側のコンピュータであるサーバ１０１と、このサーバ１０１に接続される記憶手段である各種データベースＤＢ１０２、１０３とによって構成されている。１０４は、入出力装置で、管理サーバ１００のサーバ１０１にデータの入出力が必要な場合に使用するものである。これらの管理サーバ１００、クライアントコンピュータ１１０，１２０，１３０は全てプログラム制御により動作し、クライアントコンピュータ１１０，１２０，１３０は、それぞれ管理サーバ１００と通信路１１０Ａ，１２０Ａ，１３０Ａによって接続するか、インターネット等の通信ネットワークを介して接続されている。すなわち、クライアントコンピュータ１１０，１２０，１３０は、管理サーバ１００と接続されており、各クライアントコンピュータ１１０，１２０，１３０の全ての情報は、管理サーバ１００で管理されている。
【００１５】
したがって、各クライアントコンピュータ１１０，１２０，１３０は、管理サーバ１００とやり取りを行って、他のクライアントコンピュータからのデータを入手するようになっている。各クライアントコンピュータ１１０，１２０，１３０は、それぞれ管理サーバ１００にアクセスして自己が処理すべきデータを管理サーバ１００から読み出したり、自己の処理したデータを管理サーバ１００に書き込む。各クライアントコンピュータ１１０，１２０，１３０における全てのやりとりは、管理サーバ１００と行うことになっている。また、各クライアントコンピュータ１１０，１２０，１３０間におけるやりとりは、各クライアントコンピュータ１１０，１２０，１３０同士で行うのではなく、各クライアントコンピュータ１１０，１２０，１３０からの他のクライアントコンピュータへのデータ送信は、管理サーバ１００に送信するだけで、管理サーバ１００から各クライアントコンピュータ１１０，１２０，１３０からデータを送信した他のクライアントコンピュータへ送信されたデータを表示するようになっている。
【００１６】
クライアントコンピュータ１１０は社内の特許業務処理担当部門に設けられ、クライアントコンピュータ１２０は社内の特許技術処理担当部門に設けられ、クライアントコンピュータ１３０は社内の特許技術処理上長部門に設けられる。
【００１７】
図２には、各クライアントコンピュータ１１０，１２０，１３０の機能ブロック図が示されている。
すなわち、クライアントコンピュータ１１０は、社内の特許業務担当者が使用し、出願依頼受付処理１１１と、技術担当者選定／提案内容の送信処理１１２と、作成明細書チェック依頼業務処理１１３と、特許出願決定処理１１４と、表示処理１１５とを含む。
【００１８】
出願依頼受付処理１１１は、社内の特許出願処理担当部門に技術部門から届けられた企業の従業員が職務上なした発明を、出願依頼として受付処理するために使用する。
【００１９】
技術担当者選定／提案内容の送信処理１１２は、出願依頼として受付処理された企業の従業員が職務上なした発明について出願処理を行うための特許技術担当者の選定を行うのに使用し、選定した特許技術担当者に出願依頼として受付処理された企業の従業員が職務上なした発明（提案）の内容を送信するのに使用する。
【００２０】
作成明細書チェック依頼業務処理１１３は、出願依頼として受付処理された企業の従業員が職務上なした発明（提案）に基づいて選定した特許技術担当者の処理に基づいて出願のための明細書原稿の作成が行われると、この作成された明細書原稿のチェックを発明者に依頼する場合に、作成された明細書原稿を添付して発明者にチェック依頼送信するのに使用する。
【００２１】
特許出願決定処理１１４は、出願依頼として受付処理された企業の従業員が職務上なした発明（提案）に基づいて作成された明細書原稿について出願処理の了解に基づいて、特許出願の決定処理を行うのに使用する。
【００２２】
表示処理１１５は、社内の特許出願処理担当部門に技術部門から届けられた企業の従業員が職務上なした発明の出願依頼受付処理画面、選定した特許技術担当者及び出願依頼として受付処理された企業の従業員が職務上なした発明（提案）内容の送信処理画面、企業の従業員が職務上なした発明（提案）に基づいて作成された明細書原稿のチェックを依頼する原稿チェック依頼業務処理画面、作成された明細書原稿で出願処理を行う決定をする特許出願の決定処理画面等を表示するために使用する。
【００２３】
クライアントコンピュータ１２０は、社内の特許技術担当者が使用し、受付案件受理処理１２１と、提案内容のダウンロード処理１２２と、提案評価送信処理１２３と、明細書原稿作成処理１２４と、明細書原稿のアップロード処理１２５と、表示処理１２６とを含む。
【００２４】
受付案件受理処理１２１は、社内の特許出願処理担当部門に技術部門から届けられた企業の従業員が職務上なした発明の出願依頼として受理する処理のために使用する。
【００２５】
提案内容のダウンロード処理１２２は、管理サーバ１００のデータベースＤＢ１０２に登録された社内の特許出願処理担当部門に技術部門から届けられた企業の従業員が職務上なした発明（提案）内容をコンピュータ内のメモリに書き込む（ダウンロード）処理を行うのに使用する。
【００２６】
提案評価送信処理１２３は、ダウンロードした社内の特許出願処理担当部門に技術部門から届けられた企業の従業員が職務上なした発明（提案）内容について出願案件としての評価、重要度等の評価を決定した内容を表示するのに使用する。
【００２７】
明細書原稿作成処理１２４は、企業の従業員が職務上なした発明（提案）内容についての評価に基づいて出願用の明細書原稿の作成を処理するのに使用する。明細書原稿のアップロード処理１２５は、企業の従業員が職務上なした発明（提案）内容に基づいて作成された出願用の明細書原稿を管理サーバ１００のデータベースＤＢ１０２に登録（アップロード）するのに使用する。
【００２８】
表示処理１２６は、技術部門から届けられた企業の従業員が職務上なした発明を出願依頼として受理する処理画面、管理サーバ１００のデータベースＤＢ１０２に登録された技術部門から届けられた企業の従業員が職務上なした発明（提案）内容をダウンロードする処理画面、ダウンロードした発明（提案）内容についての評価を送信する送信処理画面、　明細書原稿作成処理１２４は、企業の従業員が職務上なした発明（提案）内容についての評価に基づく出願用明細書原稿の作成の処理画面、作成された出願用の明細書原稿を管理サーバ１００のデータベースＤＢ１０２にアップロードする処理画面等を表示するために使用する。
【００２９】
クライアントコンピュータ１３０は、社内の特許業務担当者上長が使用し、評価決定承認処理１３１と、出願承認処理１３２と、表示処理１３３とを含む。
【００３０】
評価決定承認処理１３１は、特許技術担当者が提案評価送信処理１２３において技術部門から届けられた企業の従業員が職務上なした発明（提案）内容について下した評価について承認処理するために使用する。
【００３１】
出願承認処理１３２は、特許技術担当者が明細書原稿のアップロード処理１２５において企業の従業員が職務上なした発明（提案）内容に基づいて作成された出願用の明細書原稿を管理サーバ１００のデータベースＤＢ１０２にアップロードしたことに基づいて特許出願を行うことを承認する処理のために使用する。
【００３２】
表示処理１３３は、特許技術担当者が行った技術部門から届けられた企業の従業員が職務上なした発明（提案）内容についての評価について承認する処理画面、特許技術担当者が管理サーバ１００のデータベースＤＢ１０２にアップロードし出願用の明細書原稿に基づいて特許出願を行うことを承認する処理画面等を表示するために使用する。
【００３３】
図３〜図７には、本発明に係る工業所有権の出願処理システム、および工業所有権の出願処理方法の一実施の形態を示し、コンピュータによって処理を行うシステムフローチャートが示されている。
【００３４】
企業の従業員が職務上なした発明（提案）について特許業務出願依頼をするに当たっては、技術部門から社内の特許出願処理担当部門である特許業務処理担当部門で受付処理をし、しかる後、特許技術処理担当部門によって出願案件としての評価を得ることが必要である。そこで、職務上発明をした従業員は、まず、図示していない技術部門に設けられた端末機器（クライアントコンピュータ）によって管理サーバ１００のサーバ１０１にアクセスし、発明者のユーザＩＤ／パスワード入力画面を呼び出す。この管理サーバ１００のサーバ１０１にアクセスすることによって、発明者のユーザＩＤ／パスワード入力画面が表示され、発明者が発明者のユーザＩＤと、パスワードを入力すると、業務処理票を示す画面がディスプレイ上に表示される。このディスプレイ上に表示される業務処理票の表示エリアは、社内の特許業務処理担当部門に設けられるクライアントコンピュータ１１０、社内の特許技術処理担当部門に設けられるクライアントコンピュータ１２０、社内の特許技術処理上長部門に設けられるクライアントコンピュータ１３０のそれぞれに共通しており、各クライアントコンピュータ１１０，１２０，１３０のそれぞれの担当部門で処理する処理内容が表示される。
【００３５】
この業務処理票に当たる表示画面は、図８に示す如き画面となっている。この表示画面１は、案件表示エリア２と、処理案件表示エリア３と、処理内容表示エリア５と、業務工程表示エリア６と、機能項目表示エリア７とを有している。
【００３６】
この案件表示エリア２は、機能表示する案件を表示するエリアで、少なくとも出願人の形態、出願を特定する番号の種別、四法の区別、出願国、出願を特定する番号を備えたものである。
【００３７】
また、処理案件表示エリア３は、送信を受けた担当者（発明者、業務担当者、特許担当者、上長）が処理すべき案件を表示するエリアで、この処理案件表示エリア３には、実際には、各種の前担当者から送信されてきたデータの送信を受けた担当者が、自ら処理すべき担当案件を示す処理案件データ４が案件別に複数件表示されるエリアである。この処理案件表示エリア３で一度に表示できる案件数は、４〜６件（例えば、５件）で、スクロールすることによって現在前担当者から送信されきて、未処理の案件の全件を表示することができるようになっている。この処理案件データ４は、期限日、案件番号、案件名称、受付番号、業務処理内容（作業名称）、法的期限、四法種別を記入する項目を備えたものとなっている。
【００３８】
また、処理内容表示エリア５は、処理案件表示エリア３において表示される複数の処理案件データ４の内の１つを選定（ディスプレイ上でクリック）することによって、この選択した処理案件の具体的処理内容を表示するエリアで、この処理内容表示エリア５の記載項目には、処分内容、次作業、次担当者、期限日、コメント、書式、添付文書がある。
【００３９】
さらに、業務工程表示エリア６は、案件表示エリア２に表示した検索案件の検索する業務処理段階を特定する業務工程を表示するエリアで、案件表示エリア２に表示される機能表示する案件の受付から案件の最終処分（見合わせ、出願取り止め、出願処理等）が行われるまでの業務工程を、各業務処理を行う段階毎に選択できる項目として表示したものである。この業務工程表示エリア６には、少なくとも受付処理、出願処理を備えている。これら受付処理、出願処理を選択（クリック）すると、それぞれ詳細が表示されるようになっている。
【００４０】
さらにまた、機能項目表示エリア７は、案件表示エリアに表示される機能表示案件データに対して機能選択を行うときの機能項目を表示するエリアで、少なくとも検索、書式操作、印刷、ガイダンス表示を備えたものとなっている。このように、機能項目表示エリア７は、案件表示エリア２に表示した検索案件について、業務工程表示エリア６に表示される受付から最終処分が行われるまでのいずれかの業務工程を選択し、表示されている機能項目を選択（クリック）することによって、案件表示エリア２に表示した検索案件について、業務工程表示エリア６において選択した業務工程における機能項目を表示することができるようになっている。
【００４１】
この図８に図示画面では、全てのエリアの表示がなされているが、機能項目表示エリア７の機能選択を行う場合は、処理案件表示エリア３、処理内容表示エリア５の表示はされない。また、発明者が発明提案を出願依頼する際の管理サーバから読み出したときの画面は、データが表示されていない状態となっている。すなわち、図８に図示画面は、処理対応する案件によって表示が変化するようになっている。
【００４２】
職務上の発明（提案）を行った企業の従業員は、図８に図示の業務処理票によって提案内容を管理サーバ１００のサーバ１０１にアップロードする。この提案内容の管理サーバ１００へのアップロードによって社内の特許業務処理担当部門に対して発明（提案）評価の依頼を行うことになる、
図３で、ステップ２００において、特許業務処理担当者のクライアントコンピュータ１１０には、処理案件表示エリア３に処理案件データ４として表示され、この処理案件データ４をクリックして、図８に示す如き表示画面がディスプレイに表示され、出願依頼の受付を行う。このステップ２００において出願依頼の受付（出願依頼の受領）を行うと、特許業務処理担当者は、ステップ２０２において、図８に示す如き表示画面において、受付日の確定、受付番号（例えば、１５０２５００１０等）を付与（画面入力）し、これらの必要事項を図９に示す如き業務処理票に表示する。この特許業務処理担当者の付与する受付番号は、複数の特許業務処理担当部署を有する場合は、各特許業務処理担当部署によってそれぞれ異なった番号になる。この受付番号は、図９に示す如き業務処理票の表示画面で、案件表示エリア２の『種別』の欄で『Ａ　受付番号』を選択表示させ、『番号』の欄に『１５０２５００１０』を入力する。この『種別』の欄は、
2004133813.tif 000003
のように各種番号の種類が選択できるようになっている。
【００４３】
このステップ２０２において受付日の確定、受付番号の付与、業務処理票への表示を行うと、ステップ２０４において、受け付けた出願依頼を処理する担当者を選定を行う。このステップ２０４における担当者の選定を行うと、ステップ２０６において、担当者の選定は、技術部門（発明者の所属）によって一義的に特許技術担当者が決められる『依頼元−担当者』データベースに基づいて選定された者か否かを判定する。この『依頼元−担当者』データベースは、細分化された技術部門（発明者の所属）に対して１名の特許技術担当者が割り当てられている場合は、技術部門（発明者の所属）が定まると、そのまま特許技術担当者が決まることになる。この『依頼元−担当者』データベースは、管理サーバ１００に保存さており、図９に示す如き業務処理票の表示画面で、処理内容表示エリア５に表示される特許業務担当者が処理すべき処理内容の処理が行われ、『次作業』の欄に続行する表示が行われると、『次担当者』の欄に管理サーバから自動的に検索された特許技術担当者が表示される。
【００４４】
しかしながら、提案（発明）内容によっては、『依頼元−担当者』データベースによって決まる特許技術担当者では対応できない場合（得意技術分野が異なる場合等）、あるいは、『依頼元−担当者』データベースによつて決まる担当者が長期休暇を取っているような場合には、適任者を特許技術担当者として選任する必要がある。そこで、ステップ２０６において、担当者（特許技術担当者）の選定は、技術部門（発明者の所属）によって一義的に特許技術担当者が決められる『依頼元−担当者』データベースに基づいて選定された者か否かを判定する。
【００４５】
この担当者の選定が、技術部門（発明者の所属）によって一義的に特許技術担当者が決められる『依頼元−担当者』データベースに基づいて選定された場合は、ステップ２０８において、『依頼元−担当者』データべースによって特定される依頼元（発明者の所属）に対応した担当者名をクライアントコンピュータ１１０のディスプレイ上の図８に図示の業務処理票の処理内容表示エリア５の『次担当者』（特許技術担当者）の欄に表示する。
【００４６】
また、『次担当者』（特許技術担当者）の欄に表示された担当者を『依頼元−担当者』データべースを用いて変更する場合は、図８に図示の業務処理票の処理内容表示エリア５の『次担当者』の欄をスクロールすると、依頼元を担当する『担当者』（特許技術担当者）を順次表示する。この順次表示される特許技術担当者の中から適任者を選定することができる。このステップ２０８において『次担当者』が選定されると、すなわち、図８に図示の業務処理票の処理内容表示エリア５の『次担当者』の欄に『依頼元−担当者』データベースで選定した担当者（特許技術担当者）が特定されると、特許業務担当者は、ステップ２１０において、図９の処理内容表示エリア５の記載項目で必要な記載を行った後、クライアントコンピュータ１１０のディスプレイ上の送信ボタン（図中の『実行』）をクリックして特許技術担当者に送信する。
【００４７】
また、ステップ２０６において担当者の選定が、技術部門（発明者の所属）によって一義的に特許技術担当者が決められる『依頼元−担当者』データベースに基づいて選定されていないと判定すると、ステップ２１２において、特許業務担当者は、ステップ２１２において、図８に図示の業務処理票の処理内容表示エリア５の『次担当者』の欄に指定する担当者名を入力表示する。このステップ２１２において指定する担当者名を『次担当者』の欄に入力表示すると、特許業務担当者は、ステップ２１０において、図８の処理内容表示エリア５の記載項目で必要な記載を行った後、クライアントコンピュータ１１０のディスプレイ上の送信ボタン（図中の『実行』）をクリックして特許技術担当者に送信する。
【００４８】
この特許業務担当者からの特許技術担当者への送信は、特許業務担当者のクライアントコンピュータ１１０から特許技術担当者のクライアントコンピュータ１２０に直接送信することはなく、特許業務担当者のクライアントコンピュータ１１０から管理サーバ１００にデータを送信するだけである。この特許業務担当者のクライアントコンピュータ１１０からデータの送信を受けた管理サーバ１００は、『次担当者』である特許技術担当者のクライアントコンピュータ１２０に前の担当者である特許業務担当者のクライアントコンピュータ１１０から業務処理票が送信されていることを示すメッセージの表示をすることになる。
【００４９】
このステップ２１０において特許技術担当者に送信すると、ステップ２１４において、特許技術担当者のクライアントコンピュータ１２０のディスプレイには、案件番号、発明の名称、作業名称（提案発明の評価、処理方針の決定）を特定した処理案件データが表示され、該処理案件データの次作業画面を表示する処理内容表示エリア５が表示可能状態になる。すなわち、特許業務担当者から図８に図示の業務処理票の処理内容表示エリア５の『次担当者』の欄に指定する特許技術担当者に送信すると、特許技術担当者のクライアントコンピュータ１２０においては、図９に図示の業務処理票に示す如く、処理案件表示エリア３に案件番号、発明の名称、作業名称（例えば、発明評価・処理方針承認）を特定した処理案件データ４が送信されてきた分（次担当者として指定され、処理担当することになった全ての案件）が表示される。そして、特許技術担当者のクライアントコンピュータ１２０のディスプレイに表示される図９に図示の業務処理票における処理内容表示エリア５は、何も表示されていない画面となっている。そして、この図９に図示の業務処理票の処理案件表示エリア３に表示される処理案件データ４は、クリックすることによってクリックした案件の詳細内容（処理内容）を表示する処理内容表示エリア５に当該担当者が処理すべき内容が表示される。
【００５０】
このステップ２１４において案件番号、発明の名称、作業名称（提案発明の評価、処理方針の決定）を特定した処理案件データを表示し、当該担当者が処理する処理案件データ毎に次作業画面が表示可能になると、ステップ２１６において、当該担当者に送信されディスプレイ上に表示されている複数件数の処理案件データの中から任意に処理案件データを選定して図１０に示す如き作業画面を表示する。すなわち、特許技術担当者は、クライアントコンピュータ１２０によって処理しようとする処理案件データ４をディスプレイ上でクリックして、当該案件の詳細内容（処理内容）をクライアントコンピュータ１２０のディスプレイに図９に示す如き画面として表示する。
【００５１】
このステップ２１６において処理する処理案件データを特定して作業画面の表示を行うと、ステップ２１８において、当該担当者（特許技術担当者）は、クライアントコンピュータ１２０のディスプレイに表示される図９に図示の業務処理票の処理内容表示エリア５に画面表示された特定の処理案件データ４について、処理内容表示エリア５に表示される図１０に示される表示画面を用いて、作業（提案発明の評価、処理方針の決定）の処理（図９に図示の業務処理票の処理内容表示エリア５に表示された内容の決済処理）内容の表示をクライアントコンピュータ１２０のディスプレイに行う。
【００５２】
このステップ２１８において当該担当者（特許技術担当者）がディスプレイ上に表示された処理案件データについて行った作業処理（提案発明の評価、処理方針の決定）内容を表示すると、ステップ２２０において、図９に図示の業務処理票の処理内容表示エリア５の次担当者欄に表示された次担当者名（送信先）が変更されたか否かの判定を行う。すなわち、当該担当者のクライアントコンピュータ１２０のディスプレイに表示される図９に図示の業務処理票の処理内容表示エリア５の次担当者欄には、当該担当者が処理する内容によって次担当者名（送信先）が『依頼元−担当者』データベースによって自動的に選択され、表示される。したがって、当該担当者がクライアントコンピュータ１２０のディスプレイに表示される図９に図示の業務処理票の処理案件表示エリア３に表示される処理案件データ４の１つをクリックし、特定処理案件データ４の作業処理内容（提案発明の評価、処理方針の決定）を処理内容表示エリア５に表示したときに次担当者名（送信先）欄には、『依頼元−担当者』テーブルから選定された次担当者名が表示されるようになっている。
【００５３】
このステップ２２０において処理内容表示エリア５の次担当者欄に表示された次担当者名（送信先）が変更されたと判定すると、ステップ２２４において、変更された当該担当者（特許技術担当者）名をクライアントコンピュータ１２０のディスプレイ上の『次担当者』の欄に表示する。また、ステップ２２０において処理内容表示エリア５の次担当者欄に表示された次担当者名（送信先）が変更されていないと判定すると、ステップ２２４において、『依頼元−担当者』データベースに基づいて選定した次担当者名の特定を行う。
【００５４】
このステップ２２２またはステップ２２４において次担当者名が表示されると、ステップ２２６において、表示された次担当者名から送信先が発明元（発明者の所属する技術部門）か否かの判定を行う。このステップ２２６において特定された次担当者名から送信先が発明元（発明者の所属する技術部門）であると判定すると、ステップ２２８において、発明元（発明提案者）に対し出願処理を行わない差し戻し評価を記入した業務処理票の送信処理を行う。この出願処理を行わない差し戻し評価を記入した業務処理票の送信処理は、技術担当者から直接発明元（発明者の所属する技術部門）に行うのではなく、技術担当者が出願処理を行わない差し戻し評価を記入した業務処理票の送信を特許技術担当者上長に送信し、しかる後、特許技術担当者上長から発明元（発明者の所属する技術部門）に送信するようにしてもよい。
【００５５】
また、このステップ２２６において特定された次担当者名から送信先が発明元（発明者の所属する技術部門）でないと判定すると、ステップ２３０において、特許技術担当者は、特許技術担当者上長に対する送信処理を行い、ステップ２３８に移る。
【００５６】
このステップ２３０において、特許技術担当者が送信処理を行い、業務処理票を特許担当者上長に送信すると、ステップ２３２において、特許技術担当者上長のクライアントコンピュータ１３０のディスプレイには、案件番号、発明の名称、作業名称（特許技術担当者の評価承認）を特定した処理案件データ４が表示され、該処理案件データ４の次作業画面を表示する処理内容表示エリア５が表示可能状態になる。すなわち、特許業務担当者から図８に図示の業務処理票の処理内容表示エリア５の『次担当者』の欄に指定する特許技術担当者上長に送信すると、該特許技術担当者上長のクライアントコンピュータ１３０においては、図１１に図示の業務処理票に示す如く、処理案件表示エリア３に案件番号、発明の名称、作業名称（特許技術担当者の評価承認）を特定した処理案件データ４が送信されてきた件数分が表示される。
【００５７】
そして、特許技術担当者上長のクライアントコンピュータ１３０のディスプレイに表示される図１１に図示の業務処理票における処理内容表示エリア５は、何も表示されていない画面となっている。さらに、この図１１に図示の業務処理票の処理案件表示エリア３に表示される処理案件データ４は、クライアントコンピュータ１３０のディスプレイ上でクリックすることによって、クリックした案件の詳細内容（処理内容）を表示する処理内容表示エリア５に当該特許技術担当者上長の処理すべき内容が図１２に示す如く表示される。
【００５８】
このステップ２３２において案件番号、発明の名称、作業名称（特許技術担当者の評価承認）を特定した処理案件データ４を表示し、特許技術担当者上長が処理する処理案件データ毎に次作業画面が表示可能になると、当該特許技術担当者上長に送信された複数の処理案件データ４の中から特定の処理案件データ４を選択する。すると、クライアントコンピュータ１３０のディスプレイ上には、図１２に示す如く評価・処理方針の表示画面（作業画面）が表示される。このステップ２３２において処理案件データ４の作業（特許技術担当者の評価承認）画面を処理内容表示エリア５に表示すると、ステップ２３４において、当該特許技術担当者上長は、クライアントコンピュータ１３０のディスプレイに表示される図１１に図示の業務処理票の処理内容表示エリア５に画面表示された特定の処理案件データ４についての図１３に示す如き作業（特許技術担当者の評価承認）内容の表示を行う。このステップ２３４における作業内容の表示に基づいて、ステップ２３６において、特許技術担当者上長が行った作業内容の表示は、特許技術担当者の評価承認を行ったものか、または特許技術担当者の評価を変更して承認したものかの判定を行う。すなわち、特許技術担当者上長は、特許技術担当者から送信されてきた評価承認の請求に対し、承認（または評価を変更して承認）表示を行うか、あるいは特許技術担当者から送信されてきた評価承認の請求に対し、非承認（差し戻し）表示を行うかの判断をする。
【００５９】
このステップ２３６において特許技術担当者上長の評価表示内容が、特許技術担当者の評価を承認するもの、または特許技術担当者の評価を変更して承認するものでない（評価非承認処理）と判定すると、業務処理票は特許技術担当者に送信される。この特許技術担当者上長の評価非承認の処理を受けて、特許技術担当者は、ステップ２３８において、差し戻し評価に対する処理内容の表示を特許技術担当者のクライアントコンピュータ１２０のディスプレイに行う。また、ステップ２３６において特許技術担当者上長の評価表示内容が、特許技術担当者の評価を承認するもの、または特許技術担当者の評価を変更して承認するものである（評価承認処理）と判定すると、ステップ２４０において、特許技術担当者上長のクライアントコンピュータ１３０のディスプレイ上の図９に図示の業務処理票の処理内容表示エリア５に表示される作業画面に、特許技術担当者の発明評価に対するコメントを表示し、特許技術担当者の評価承認を承認する表示を行う。
【００６０】
このステップ２４０において処理内容表示エリア５の作業画面に特許技術担当者の発明評価に対するコメントの表示、特許技術担当者の評価承認を承認する表示が行われると、ステップ２４２において、業務処理票を次処理を担当する特許技術担当者に送信し、ステップ２６８に移る。この送信先（特許技術担当者）は、発明評価を行った特許技術担当者であり、差し戻し処理の場合と同じである。このステップ２４２において業務処理票を次処理を行う特許技術担当者に送信すると、ステップ２４４において、送信を受けた特許技術担当者のクライアントコンピュータ１２０のディスプレイには、図９に図示の業務処理票に示す如く、処理案件表示エリア３に案件番号、発明の名称、作業名称（明細書作成業務）を特定した処理案件データ４が表示され、該処理案件データ４の次作業画面（明細書原稿作成業務）を表示する処理内容表示エリア５が表示可能状態になり、特許技術担当者のクライアントコンピュータ１２０のディスプレイに表示される図９に図示の業務処理票における処理内容表示エリア５は、何も表示されていない画面となっている。すなわち、特許技術担当者は、クライアントコンピュータ１２０に特許技術担当者上長から次担当者へと送信されてきている複数の処理案件データの内、処理案件データを特定して処理内容表示エリア５に図１３に示す如く当該特許技術担当者が処理すべき内容（明細書原稿作成業務）を表示する。
【００６１】
このステップ２４４において送信を受けた特許技術担当者のクライアントコンピュータ１２０のディスプレイに処理案件データ４が表示され、該処理案件データ４の次作業画面（明細書原稿作成業務）を表示する処理内容表示エリア５が表示可能状態になると、ステップ２４６において、当該特許技術担当者は、クライアントコンピュータ１２０のディスプレイに表示される図９に図示の業務処理票の処理内容表示エリア５に画面表示された特定の処理案件データ４の作業（明細書作成業務）の処理（図９に図示の業務処理票の処理内容表示エリア５に表示された内容の明細書原稿作成決済処理）内容の表示を行う。
【００６２】
このステップ２４６において当該特許技術担当者が特定の処理案件データ４の作業（明細書作成業務）の処理内容の表示を行うと、ステップ２４８において、図９に図示の業務処理票の処理内容表示エリア５の作業処理の明細書作成は、特許技術担当者による内部作成処理か否かを判定する。このステップ２４８において明細書作成が特許技術担当者による内部作成であると判定すると、ステップ２５０において、特許技術担当者による明細書作成のための処理を行い、ステップ２６８に移る。
【００６３】
このステップ２４８において明細書作成を特許担当者による内部作成でないと判定すると、ステップ２５２において、外注特許事務所先の検索を行う。このステップ２５２において外注特許事務所先の検索を行うと、ステップ２５４において、検索した特許事務所に明細書の作成依頼処理を行う。このステップ２５４において検索した特許事務所に明細書の作成依頼を行うと、ステップ２５６において、明細書作成を依頼した特許事務所の明細書作成担当者の表示を行う。このステップ２５６において明細書作成を依頼した特許事務所の明細書作成担当者の表示を行うと、ステップ２５８において、特許事務所からの明細書の作成完了による完成明細書を受領する。このステップ２５８において特許事務所からの完成明細書の受領処理を行うと、ステップ２６０において、特許事務所からの納品明細書の検収処理に伴う検収結果の表示を行う。この納品明細書の検収で検収ＯＫのときは、完成明細書を出願用明細書原稿として管理サーバ１００のデータベースＤＢ１０２にアップロードする。
【００６４】
また、この納品明細書の検収結果の表示は、特許業務担当者のクライアントコンピュータ１１０に行われ、特許業務担当者は、ステップ２６２において、特許業務担当者のクライアントコンピュータ１１０から納品明細書原稿の発明者チェックのため、図１４に示す如き必要事項を記入した業務処理票と共に納品明細書原稿を技術部門に設けられたクライアントコンピュータに送信する。その後、ステップ２６４において、特許業務担当者は、発明者からチェック済明細書原稿を図１４に示す如き必要事項を記入した業務処理票と共に受領する。このステップ２６４において発明者からチェック済明細書原稿を受領すると、特許業務担当者は、クライアントコンピュータ１１０を用いてチェック済明細書原稿を特許技術担当者のクライアントコンピュータ１２０に送信する。
【００６５】
この特許業務担当者からの特許技術担当者への送信は、特許業務担当者のクライアントコンピュータ１１０から特許技術担当者のクライアントコンピュータ１２０に直接送信することはなく、特許業務担当者のクライアントコンピュータ１１０から管理サーバ１００にデータを送信するだけである。この特許業務担当者のクライアントコンピュータ１１０からデータの送信を受けた管理サーバ１００は、『次担当者』である特許技術担当者のクライアントコンピュータ１２０に前の担当者である特許業務担当者のクライアントコンピュータ１１０から業務処理票が送信されていることを示すメッセージの表示をすることになり、現実にチェック済明細書原稿を送信することはない。
【００６６】
ステップ２６４において特許技術担当者にチェック済明細書原稿を送信すると、ステップ２６６において、特許技術担当者は、発明者からのチェック済明細書原稿の検収処理に伴う検収結果（特許技術担当者による検収処理）の表示を行い、特許技術担当者上長のクライアントコンピュータ１３０にチェック済明細書原稿の検収処理に伴う検収結果を送信し、図１５に示す如き必要事項を記入した業務処理票と共に特許技術担当者上長のチェック済明細書原稿の検収結果の承認を請求する。このステップ２６６においてチェック済明細書原稿の検収結果の表示の承認の請求を受けた特許技術担当者上長は、ステップ２６８において、特許技術担当者から送信されたチェック済明細書原稿の特許技術担当者の検収結果に承認を与える出願承認の検収結果を表示し、ステップ２７６に移る。この特許技術担当者上長のクライアントコンピュータ１３０のディスプレイには、図１５に示す如き業務処理票が表示され、特許技術担当者上長は、この特許技術担当者上長のクライアントコンピュータ１３０のディスプレイに表示される図１５に図示の業務処理票の上長承認で『可』にチェックマークを付けることによって表示される。
【００６７】
また、このチェック済明細書原稿の出願検収結果の表示は、特許業務担当者のクライアントコンピュータ１１０に行われ、特許業務担当者は、ステップ２７０において、特許業務担当者のクライアントコンピュータ１１０からチェック済明細書原稿についての出願書類の表示画面を特許技術担当者のクライアントコンピュータ１２０に送信する。
【００６８】
この特許業務担当者からの特許技術担当者への出願書類の送信は、特許業務担当者のクライアントコンピュータ１１０から特許技術担当者のクライアントコンピュータ１２０に直接送信することはなく、特許業務担当者のクライアントコンピュータ１１０から管理サーバ１００に出願書類に記入する記載事項のデータを送信するだけである。この特許業務担当者のクライアントコンピュータ１１０からデータの送信を受けた管理サーバ１００は、『次担当者』である特許技術担当者のクライアントコンピュータ１２０に特許業務担当者のクライアントコンピュータ１１０から図１６に図示の業務処理票（出願書類の表示画面）が送信されていることを示すメッセージの表示をすることになり、現実に出願書類の表示画面を送信することはない。
【００６９】
このステップ２７０において特許業務担当者が出願書類の表示画面を特許技術担当者に送信すると、ステップ２７２において、特許技術担当者のクライアントコンピュータ１２０に管理サーバ１００から出願書類の表示画面を送信し、特許技術担当者のクライアントコンピュータ１２０では、ディスプレイ上に図１６に示す如き出願書類の表示画面が表示される。このステップ２７２において図１６に図示の出願書類の表示画面を特許技術担当者のクライアントコンピュータ１２０のディスプレイ上に表示すると、ステップ２７４において、特許技術担当者は、管理サーバ１００から特許技術担当者のクライアントコンピュータ１２０が受信した出願書類の表示画面の画面表示データを特許技術担当者上長のクライアントコンピュータ１３０に送信する。実際には、管理サーバ１００から特許技術担当者のクライアントコンピュータ１２０が受信した出願書類の表示画面の画面表示データは、管理サーバ１００に書き込まれ、特許技術担当者上長のクライアントコンピュータ１３０は、管理サーバ１００にアクセスして、特許技術担当者上長のクライアントコンピュータ１３０のディスプレイに表示する。
【００７０】
このステップ２７４において特許技術担当者が出願書類の表示画面の画面表示データを特許技術担当者上長に送信すると、ステップ２７６において、特許技術担当者上長のクライアントコンピュータ１３０のディスプレイ上には、案件番号、発明の名称、作業名称（出願処理承認）を特定した処理案件データ４が表示され、該処理案件データ４の次作業画面を表示する処理内容表示エリア５が表示可能状態になる。すなわち、特許業務担当者から図８に図示の業務処理票の処理内容表示エリア５の『次担当者』の欄に指定する特許技術担当者上長に出願書類の表示画面の画面表示データを送信すると、該特許技術担当者上長のクライアントコンピュータ１３０においては、図１６に図示の業務処理票に示す如く、処理案件表示エリア３に案件番号、発明の名称、作業名称（出願処理承認）を特定した処理案件データ４が送信されてきた件数分表示される。
【００７１】
特許技術担当者上長のクライアントコンピュータ１３０のディスプレイに表示される図１６に図示の業務処理票における処理内容表示エリア５は、始め何も表示されていない画面となっており、図１６に図示の業務処理票の処理案件表示エリア３に表示される処理案件データ４のいずれかの案件をクライアントコンピュータ１３０のディスプレイ上でクリックすることによって、クリックした案件の詳細内容（処理内容）を表示する処理内容表示エリア５に図１６に示す如く表示される。
【００７２】
このステップ２７６において案件番号、発明の名称、作業名称（出願処理承認）を特定した処理案件データ４を表示し、特許技術担当者上長が処理する処理案件データ毎に次作業画面が表示可能になると、当該特許技術担当者上長に送信された複数の処理案件データ４の中から特定の処理案件データ４を選択する。すると、クライアントコンピュータ１３０のディスプレイ上には、図１５に示す如く上長承認の表示画面（作業画面）が表示される。このテップ２７６において処理案件データ４の作業（出願処理承認）画面を処理内容表示エリア５に表示すると、ステップ２７８において、当該特許技術担当者上長は、クライアントコンピュータ１３０のディスプレイ上に表示される図１６に図示の業務処理票の処理内容表示エリア５に画面表示された特定の処理案件データ４についての図１５に示す如き作業（出願処理承認）内容の表示を行う。このステップ２７８における作業内容の表示に基づいて、ステップ２８０において、特許技術担当者上長は、特許技術担当者が行った出願評価承認に対して出願承認をクライアントコンピュータ１３０のディスプレイ上に表示する。このステップ２８０において特許技術担当者上長が特許技術担当者の処理した出願評価承認に対して承認をする表示を行うと、ステップ２８２において、特許技術担当者に対して出願承認を表示した図１５に図示の業務処理票を送信する。
【００７３】
この特許技術担当者上長からの特許技術担当者への業務処理票の送信は、特許技術担当者上長のクライアントコンピュータ１３０から特許技術担当者のクライアントコンピュータ１２０に直接送信することはなく、特許技術担当者上長のクライアントコンピュータ１３０から管理サーバ１００にデータを送信するだけである。この特許技術担当者上長のクライアントコンピュータ１３０からデータの送信を受けた管理サーバ１００は、『次担当者』である特許技術担当者のクライアントコンピュータ１２０に前の担当者である特許技術担当者上長のクライアントコンピュータ１３０から業務処理票が送信されていることを示すメッセージの表示をすることになり、現実に業務処理票を送信することはない。
【００７４】
このステップ２８２において特許技術担当者上長のクライアントコンピュータ１３０から特許技術担当者に対して出願承認を表示した図１５に図示の業務処理票を送信すると、ステップ２８４において、特許技術担当者のクライアントコンピュータ１２０は、図１５に図示の業務処理票を受信する。このステップ２８４において特許技術担当者が図１５に図示の業務処理票を受信すると、ステップ２８６において、特許技術担当者は、受信した図１５に図示の出願承認が表示された業務処理票を特許業務担当者に送信する。実際には、特許技術担当者は、管理サーバ１００に出願承認が表示された業務処理票データを送信するだけで、特許業務担当者がクライアントコンピュータ１１０によって管理サーバ１００にアクセスして管理サーバ１００から出願承認が表示された業務処理票を引き出している。
【００７５】
このステップ２８６において特許技術担当者のクライアントコンピュータ１２０から図１５に図示の出願承認の表示された業務処理票を特許業務担当者に送信すると、ステップ２８８において、特許業務担当者は、図１５に図示の出願承認が表示された業務処理票の指示に基づいて、図１６に示す如き表示画面を用いて出願処理の確認（主に、出願人、発明者、その他書誌的事項の確認）を行い、出願書類を特許庁に送信する処理を行う。このステップ２８８において特許業務担当者が出願書類を特許庁に送信する処理を行うと、ステップ２９０において、特許業務担当者は、出願完了の報告を指定する部門（クライアントコンピュータ１２０が設けられる特許技術処理担当部門、クライアントコンピュータ１３０が設けられる特許技術処理上長部門、発明者の所属する技術部門等）に送信する。この出願完了の送信は、具体的には、特許庁が発行する出願の受領書の写しを送信することによって行われる。
【００７６】
このようにして社内の特許業務処理担当部門における出願依頼の受領から特許出願までの処理フローは、終了する。
【００７７】
【発明の効果】
以上説明したように、本発明によれば、以下に述べる効果を有する。
【００７８】
本発明によれば、作業効率を向上することのできる工業所有権の出願処理システムを提供することができる。
【００７９】
また、本発明によれば、電子データ化の利点を生かすことのできる工業所有権の出願処理方法を提供するができる。
【図面の簡単な説明】
【図１】本発明に係る工業所有権の出願処理システム、および工業所有権の出願処理方法を実施するための処理装置を示す図である。
【図２】図１に図示の処理装置の各クライアントコンピュータのそれぞれの機能ブロック図である。
【図３】本発明に係る工業所有権の出願処理システム、および工業所有権の出願処理方法の実施の形態を示すフローチャートである。
【図４】本発明に係る工業所有権の出願処理システム、および工業所有権の出願処理方法の実施の形態を示すフローチャートである。
【図５】本発明に係る工業所有権の出願処理システム、および工業所有権の出願処理方法の実施の形態を示すフローチャートである。
【図６】本発明に係る工業所有権の出願処理システム、および工業所有権の出願処理方法の実施の形態を示すフローチャートである。
【図７】本発明に係る工業所有権の出願処理システム、および工業所有権の出願処理方法の実施の形態を示すフローチャートである。
【図８】本発明に係る工業所有権の出願処理システム、および工業所有権の出願処理方法において使用する表示画面を示す図である。
【図９】新規受付を行った発明の特許技術担当者に送信されてきた表示画面を示す図である。
【図１０】新規受付を行った発明についての特許技術担当者の発明評価・処理方針を示す図である。
【図１１】特許技術担当者から送信されてきた処理案件を表示する画面を示す図である。
【図１２】特許技術担当者の発明評価・処理方針に対する特許技術担当者上長の承認の処理画面を示す図である。
【図１３】特許技術担当者の明細書原稿作成における詳細を表示する画面を示す図である。
【図１４】特許技術担当者の明細書原稿の発明者チェック依頼と結果確認を表示する画面を示す図である。
【図１５】特許技術担当者の明細書原稿のチェック処理に対する特許技術担当者上長の承認の処理画面を示す図である。
【図１６】業務担当者の出願処理確認の表示画面を示す図である。
【符号の説明】
１…………………………表示画面
２…………………………案件表示エリア
３…………………………処理案件表示エリア
４…………………………処理案件データ
５…………………………処理内容表示エリア
６…………………………業務工程表示エリア
７…………………………機能項目表示エリア
１００……………………管理サーバ
１０１……………………サーバ
１０２，１０３…………データベースＤＢ
１０４……………………入出力装置
１１０……………………クライアントコンピュータ
１２０……………………クライアントコンピュータ
１３０……………………クライアントコンピュータ
【図１】
2004133813.tif 000004
【図２】
2004133813.tif 000005
【図３】
2004133813.tif 000006
【図４】
2004133813.tif 000007
【図５】
2004133813.tif 000008
【図６】
2004133813.tif 000009
【図７】
2004133813.tif 000010
【図８】
2004133813.tif 000011
【図９】
2004133813.tif 000012
【図１０】
2004133813.tif 000013
【図１１】
2004133813.tif 000014
【図１２】
2004133813.tif 000015
【図１３】
2004133813.tif 000016
【図１４】
2004133813.tif 000017
【図１５】
2004133813.tif 000018
【図１６】
2004133813.tif 000019